(57)【特許請求の範囲】
【請求項１】
口栓を有する天面パネルと、前面パネルと、該前面パネルと対向する背面パネルと、前記前面パネルと該背面パネルの左右両端に連設された一対の側面パネルがそれぞれの上端部において前記天面パネルに連設され、前記前面パネルと前記背面パネルと左右一対の前記側面パネルの下端部に連設された底面パネルとからなり、
前記天面パネルが前方から後方に湾曲する曲面からなり、該天面パネルの前方の下端部が、平面からなる前記前面パネルの上端部に連設され、前記天面パネルの曲面と前記前面パネルの平面が折罫を介さずに連続しており、
前記天面パネルの下端部と、前記前面パネルの上端部の連設部の左右両端に、Ｖ字型罫線またはハの字型罫線が互いに開放端を向かい合わせるように設けられていることを特徴とする口栓付液体用紙容器。
【請求項２】
前記天面パネルの下端部と、前記前面パネルの上端部の境界線の左右両端に、一対のＶ字型罫線、又はハの字型罫線が互いに開放端を向かい合わせ、境界線にＶ字の交点又はハの字の延長線上の交点が来るように設けられており、前記Ｖ字またはハの字の開き角度は、境界線に対してそれぞれ１５度から４５度の範囲の角度であることを特徴とする請求項１記載の口栓付液体用紙容器。
【発明の詳細な説明】
【技術分野】
【０００１】
本発明は、口栓付液体用紙容器に関するものである。
【背景技術】
【０００２】
食品や非食品の液体内容物に使用される液体用紙容器は、果汁飲料、ジュース、お茶、コーヒー、乳飲料、スープ等の液体飲料、日本酒、焼酎等の酒類に広く用いられている。この液体用紙容器は、紙を基材と内面に熱可塑性樹脂によるシーラント層が設けられた積層材料からなり、紙基材とシーラント層の間にアルミ箔やアルミ蒸着フィルム、ないしは、無機酸化物蒸着フィルムなどのバリア性のある層を設けたり、また、外層に耐水のために樹脂層を設けたり、美粧性のために、外層にポリエステルの裏刷り印刷フィルムを用いたり、アルミ蒸着フィルムを用いたものなどがある。
【０００３】
また、天部にスパウトとキャップからなる口栓を設け、注ぎ易さや、開封容易性と再封性を持たせた液体用紙容器も一般的に用いられるようになってきている。液体用紙容器としては、底部に脚部を持つ紙カップ形状のものもあるが、多くは、角柱形の胴部と平らな底部からなり、天部がゲーベルトップ型（屋根型）の液体用紙容器（特許文献１）、あるいは平らなブリック型（レンガ型）の液体用紙容器（特許文献２）、また、天部の前方が傾斜部で後部が平らな液体用紙容器（特許文献３）がある。
【０００４】
公知文献を以下に示す。
【先行技術文献】
【特許文献】
【０００５】
【特許文献１】実開昭６２−１３２９９２８号公報
【特許文献２】特開平８−９１３４８号公報
【特許文献３】実開昭６２−１９７５２０号公報
【発明の概要】
【発明が解決しようとする課題】
【０００６】
角柱形の胴部と平らな底部からなる口栓付液体用紙容器は、前面パネルと口栓のある天部が連接されているが、互いに平面で、折罫を介して連接されている。そのため、内容物である液体を注ぎ出すとき、容器を傾けると液体は折罫の部分で流れが変わり、乱流になり、口栓からスムーズに流れ出さない。またスパウトからの流れも断続的になり、注ぎ出しにくい。
【０００７】
本発明はこのような欠点を解消し、内容物である液体を注ぎ出すときに、液体が滑らかに注ぎ出される口栓付液体用紙容器を提供することを課題とする。
【課題を解決するための手段】
【０００８】
本発明は係る課題に鑑みなされたものであり、請求項１の発明は、口栓を有する天面パネルと、前面パネルと、該前面パネルと対向する背面パネルと、前記前面パネルと該背面パネルの左右両端に連設された一対の側面パネルがそれぞれの上端部において前記天面パネルに連設され、前記前面パネルと前記背面パネルと左右一対の前記側面パネルの下端部に連設された底面パネルとからなり、前記天面パネルが前方から後方に湾曲する曲面からなり、該天面パネルの前方の下端部が、平面からなる前記前面パネルの上端部に連設され、前記天面パネルの曲面と前記前面パネルの平面が折罫を介さずに連続しており、前記天面パネルの下端部と、前記前面パネルの上端部の連設部の左右両端に、Ｖ字型罫線またはハの字型罫線が互いに開放端を向かい合わせるように設けられていることを特徴とする請求項１に記載の口栓付液体用紙容器である
【０００９】
また、請求項２の発明は、前記天面パネルの下端部と、前記前面パネルの上端部の境界線の左右両端に、一対のＶ字型罫線、又はハの字型罫線が互いに開放端を向かい合わせ、境界線にＶ字の交点又はハの字の延長線上の交点が来るように設けられており、前記Ｖ字またはハの字の開き角度は、境界線に対してそれぞれ１５度から４５度の範囲の角度であることを特徴とする請求項１記載の口栓付液体用紙容器である。
【００１０】
本発明の口栓付液体用紙容器は、以上のような構成であって、天面パネルが下端部から
後方に湾曲する曲面からなり、天面パネルの下端部が平面からなる前面パネルの上端部に
連設され、前記天面パネルの曲面と前記前面パネルの平面が折罫を介さずに連続している
ので、内容物である液体を注ぎ出すときに、折罫部分で内容物である液体の流れが乱され
ることなく、滑らかに注ぎ出される。
また、一対のＶ字型罫線またはハの字型罫線が互いに開放端を向かい合わせるように設けられていることによって、天面パネルの曲面と前面パネルの平面が折罫を介さなくても容易に連続させた口栓付液体用紙容器を成形することができる。
【発明の効果】
【００１２】
本発明の口栓付液体用紙容器は、内容物である液体を注ぎ出すために、容器を傾けたとき、液体が前面パネルと天面パネルの間で流れが乱されること無く、流れがスムーズになり、口栓のスパウトからの注ぎ出しが断続的にならず、注ぎ出し易い。
【図面の簡単な説明】
【００１３】
【図１】本発明の口栓付液体用紙容器の一実施形態の正面図である。
【図２】本発明の口栓付液体用紙容器の一実施形態の背面図である。
【図３】本発明の口栓付液体用紙容器の一実施形態の左側面図である。
【図４】本発明の口栓付液体用紙容器の一実施形態の右側面図である。
【図５】本発明の口栓付液体用紙容器の一実施形態の平面図である。
【図６】本発明の口栓付液体用紙容器の一実施形態の底面図である。
【図７】本発明の口栓付液体用紙容器の一実施形態の斜視図である。
【図８】図７の反対側から見た斜視図である。
【図９】図１のＡ−Ａ部分拡大図である。
【図１０】本発明の口栓付液体用紙容器の一実施形態のブランクの展開図である。
【図１１】本発明の口栓付液体用紙容器の他の実施形態の正面図である。
【図１２】本発明の口栓付液体用紙容器の他の実施形態の背面図である。
【図１３】本発明の口栓付液体用紙容器の他の実施形態の左側面図である。
【図１４】本発明の口栓付液体用紙容器の他の実施形態の右側面図である。
【図１５】本発明の口栓付液体用紙容器の他の実施形態の平面図である。
【図１６】本発明の口栓付液体用紙容器の他の実施形態の底面図である。
【図１７】本発明の口栓付液体用紙容器の他の実施形態の斜視図である。
【図１８】図１７の反対側から見た斜視図である。
【図１９】本発明の口栓付液体用紙容器の他の実施形態のブランクの展開図である。
【発明を実施するための形態】
【００１４】
以下本発明を実施するための形態につき説明する。
【００１５】
本発明の口栓付液体用容器に使用する材料は口栓と積層シートからなる。この積層シートは、樹脂を主体とする外層と、紙を主体とする中間層と、樹脂を主体とする内層からなり、口栓付液体用容器は積層シートの外層を容器の外面となるように成形される。
【００１６】
外層には、ポリエチレン、ポリプロピレン、あるいは、ポリエチレンを主体とするブレンド樹脂など熱溶融接着性のポリオレフィン樹脂が用いられ、そのポリオレフィン樹脂層の表面又は裏面には適宜なる印刷層（絵柄インキ層）が形成されている。また、内層にも、ポリエチレン、ポリプロピレン、ポリエチレンを主体とするブレンド樹脂など熱溶融接着性のポリオレフィン樹脂層（シーラント層）が用いられる。 
【００１７】
また、紙を主体とする中間層には、紙のほかに必要に応じてアルミニウム箔層（ガスバリア層）、アルミニウム箔層（ガスバリア層）／ポリエチレンテレフタレート樹脂層、アルミニウム蒸着層（ガスバリア層）／ポリエチレンテレフタレート樹脂層、酸化珪素や酸化マグネシウムなど無機酸化物蒸着層（ガスバリア層）／ポリエチレンテレフタレート樹脂層などのガスバリア性層が積層形成されていてもよい。
【００１８】
口栓はスパウトとキャップからなり、それぞれ、ポリエチレン、ポリプロピレン、あるいは、ポリエチレンを主体とするブレンド樹脂など熱溶融接着性のポリオレフィン樹脂が好ましく用いられる。ポリエチレンとしては、高密度ポリエチレンを用いることが好ましい。
【００１９】
以下、本発明の口栓付液体用紙容器の一実施形態を図に基づいて説明する。
図１は、本発明の口栓付液体用紙容器の一実施形態の正面図である。
図２は、本発明の口栓付液体用紙容器の一実施形態の背面図である。
図３は、本発明の口栓付液体用紙容器の一実施形態の左側面図である。
図４は、本発明の口栓付液体用紙容器の一実施形態の右側面図である。
図５は、本発明の口栓付液体用紙容器の一実施形態の平面図である。
図６は、本発明の口栓付液体用紙容器の一実施形態の底面図である。
図７は、本発明の口栓付液体用紙容器の一実施形態の斜視図である。
図８は、図７の反対側から見た斜視図である。
図９は、図１のＡ−Ａ部分拡大図である。
図１０は、本発明の口栓付液体用紙容器の一実施形態のブランクの展開図である。
【００２０】
図１から図８に示すように、本発明の一実施形態の口栓付液体用紙容器１は、口栓２を有する天面パネル３と、前面パネル４と、該前面パネル４と対向する背面パネル５と、前記前面パネル４と該背面パネル５の左右両端に連設された一対の側面パネル６、７並びに底面パネル８を有する。前面パネル４と、背面パネル５と、側面パネル６、７は、それぞれの上端部において前記天面パネル３に連設され、また、下端部において底面パネル８に連設されている。
【００２１】
天面パネル３は、図５のように、前部天面パネル３１と後部天面パネル３２とからなり、図３、図４のように、前記前部天面パネル３１が下端部から後方に湾曲する曲面からなり、該前部天面パネル３１の下端部が平面からなる前記前面パネル４の上端部に連設され、前記前部天面パネル３１の曲面と前記前面パネル４の平面が折罫を介さずに連続している。
【００２２】
また、前記後部天面パネル３２が下端部から前方に湾曲する曲面からなり、該後部天面パネル３２の下端部が平面からなる前記背面パネル５の上端部に連設され、前記後部天面パネル３２の曲面と前記背面パネル５の平面が折罫を介さずに連続している。そして、前部天面パネル３１と後部天面パネル３２は上方において折罫を介して直立したそれぞれの糊代にて互いに接着されている。
【００２３】
底面パネル８は、図３、図４および図６のように、前部底面パネル８１と後部底面パネル８２とからなり、該前部底面パネル８１の前部が平面からなる前記前面パネル４の下端部に連設されており、該後部底面パネル８２の後部は前記背面パネル５の下端部に連設されている。前部底面パネル８１と後部底面パネル８２は先端部がそれぞれの糊代にて互いに接着されている。糊代部は前または後方に折られ、底面パネル８は、略平面状となっている。
【００２４】
この口栓付液体用紙容器１は、図１０の展開図に示す形状のブランクを折り曲げ、糊代を密封し、口栓をつけて製造される。図の一点破線は罫線であり、積層シートからブランクを切刃で打ち抜くときに、同時に押刃を積層シートに押して付ける押罫である。ブランクは図１０のように、前面パネル４と、その左右に側面パネル６、７と、側面パネル７の右側に背面パネル５とが罫線を介し連設され、側面パネル６の左側に糊代が設けられている。
【００２５】
前面パネル４の上端部には、前部天面パネル３１が設けられ、該前部天面パネル３１には後で取り付ける口栓に連通させる孔２１が開けられている。更に前部天面パネル３１の上端部には糊代が設けられている。また、背面パネル５の上端部には、後部天面パネル３２が設けられ、更に、後部天面パネル３２の上端部には糊代が設けられている。
【００２６】
前面パネル４の下端部には、前部底面パネル８１が設けられ、更に前部底面パネル８１の下端部には糊代が設けられている。また、背面パネル５の下端部には、後部底面パネル８２が設けられ、更に、後部底面パネル８２の下端部には糊代が設けられている。
【００２７】
前記側面パネル６，７の上端部には、該上端部を1辺とする三角板９、１０がそれぞれ設けられており、更に、三角板９の上方の２辺に連接して折込板１１、１２が設けられ、三角板１０の上方の２辺に連接して折込板１３、１４が設けられている。そして、折込板１１、１２と、折込板１３、１４の上端部にそれぞれ糊代が設けられている。
【００２８】
また、前記側面パネル６，７の下端部には、該下端部を1辺とする三角板１５、１６がそれぞれ設けられており、更に、三角板１５の下方の２辺に連接して底面折込板１７、１８が設けられ、三角板１６の下方の２辺に連接して底面折込板１９、２０が設けられている。そして、底面折込板１７、１８と、底面折込板１９，２０の下端部にそれぞれ糊代が設けられている。
【００２９】
このブランクの左端の糊代と、側面パネル６と、前面パネル４と、側面パネル７、と背面パネル５とのそれぞれの境の罫線で折り曲げ、糊代を内側として糊代と背面パネル５を接着させ筒状とする。
【００３０】
前記側面パネル６と三角板１５の間の罫線、及び、前記側面パネル７と三角板１６の間の罫線を山折、三角板１５と底面折込板１７、１８の間の罫線、および、三角板１６と底面折込板１９、２０の間の罫線を谷折し、前部底面パネル８１と後部底面パネル８２の先端部をそれぞれの糊代にて互いに接着させ、糊代を前または後方に折り、有底の容器を作成する。
【００３１】
この有底の容器の該前部天面パネル３１に口栓２を取り付け、内容物を充填し、前記側面パネル６と三角板９の間の罫線、および、前記側面パネル７と三角板１０の間の罫線を山折、三角板９と折込板１１、１２の間の罫線、および、三角板１０と折込板１３、１４の間の罫線を谷折し、前部天面パネル３１と後部天面パネル３２の上端において折罫を介して糊代を直立させ、それぞれの糊代を互いに接着する。
【００３２】
上記のように、口栓付液体用紙容器１は製造されるが、前部天面パネル３１と、前面パネル４の間には、折るための折罫は設けていない。ただし、折らないが目印となる押罫を捨罫として設けても良い。これにより積層シートが屈曲しやすくなる。
【００３３】
更に、前記天面パネル３１の下端部と、前記前面パネル４の上端部の境界線（図示せず）の左右両端に、図９の拡大図に示すように、一対のＶ字型罫線３３又はハの字型罫線が互いに開放端を向かい合わせ、境界線にＶ字の交点又はハの字の延長線上の交点が来るように設けることができる。
【００３４】
Ｖ字またはハの字の開き角度は、境界線に対してそれぞれ１５度から４５度の角度が望ましい。より好ましくは、１５度から３０度である。これにより、平面の前記前面パネル４と曲面の天面パネル３１の境界線に折罫を設けることなく、前記境界線の前後でＲを取って緩やかに曲がることができる。
【００３５】
また同様に、後部天面パネル３２と、背面パネル５の間にも、折るための折罫は設けていない。ただし、折らないが印となる押し罫を捨罫として設けても良い。これにより、平面の前記背面パネル５と曲面の後部天面パネル３２は、折罫を設けることなく、前記境界線でＲを取って緩やかに曲がることができる。また、前述のＶ字型罫線３３またはハの字型罫線を、同様に前記後部天面パネル３２の下端部と、前記背面パネル５の上端部の境界線の左右両端に設けても良い。
【００３６】
また、前記側面パネル６、７の左右中心部に縦方向の罫線を設けることもできる。これによって、廃棄する際にこの罫線を押し込むことによって、側面パネル６、７が縦に二つに折られ、前面パネル４と背面パネル５を接近させて、小さくさせることができ、廃棄物の減容化が可能となる。
【００３７】
次に、本発明の他の実施形態について、説明する。
図１１は、本発明の口栓付液体用紙容器の他の実施形態の正面図である。
図１２は、本発明の口栓付液体用紙容器の他の実施形態の背面図である。
図１３は、本発明の口栓付液体用紙容器の他の実施形態の左側面図である。
図１４は、本発明の口栓付液体用紙容器の他の実施形態の右側面図である。
図１５は、本発明の口栓付液体用紙容器の他の実施形態の平面図である。
図１６は、本発明の口栓付液体用紙容器の他の実施形態の底面図である。
図１７は、本発明の口栓付液体用紙容器の他の実施形態の斜視図である。
図１８は、図１７の反対側から見た斜視図である。
図１９は、本発明の口栓付液体用紙容器の他の実施形態のブランクの展開図である。
【００３８】
図１１から図１８のように本発明の他の実施形態の口栓付液体用紙容器１００は、口栓１０２を有する天面パネル１０３と、前面パネル１０４と、該前面パネル１０４と対向する背面パネル１０５と、前記前面パネル１０４と該背面パネル１０５の左右両端に連設された一対の側面パネル１０６、１０７、並びに底面パネル１０８を有する。
【００３９】
前面パネル１０４と、背面パネル１０５と、側面パネル１０６、１０７は、それぞれの上端部において前記天面パネル１０３に連設され、また、下端部において底面パネル１０８に連設されている。
【００４０】
前記天面パネル１０３は下端部から後方に湾曲する曲面からなり、該天面パネル１０３の下端部が平面からなる前記前面パネル１０４の上端部に連設され、前記天面パネル１０３の曲面と前記前面パネル１０４の平面が折罫を介さずに連続している。
【００４１】
前記背面パネル１０５の上端部には、水平板１３２が連設されている。天面パネル１０３と水平板１３２はそれぞれの先端部の糊代にて互いに接着され、その糊代部分が、後方に折られ、水平になっている。
【００４２】
底面パネル１０８は、前部底面パネル１８１と後部底面パネル１８２とからなり、該前部底面パネル１８１の前端部が前記前面パネル１０４の下端部に連設されており、該後部底面パネル１８２の後端部は前記背面パネル１０５の下端部に連設されている。前部底面パネル１８１と後部底面パネル１８２はそれぞれの先端部の糊代にて互いに接着されている。糊代部は前または後方に折られ、底面パネル１０８は、略平面状となっている。
【００４３】
この口栓付液体用紙容器１００は、図１９の展開図に示す形状のブランクを折り曲げ、糊代を接着し、口栓をつけて製造される。ブランクは図１９のように、前面パネル１０４と、その左右に側面パネル１０６、１０７と、その側面パネル１０７の右側に背面パネル１０５が罫線を介し連設され、側面パネル１０６の左側に糊代が設けられている。
【００４４】
前面パネル１０４の上端部には天面パネル１０３が設けられ、該天面パネル１０３には後で取り付ける口栓１０２に連通させる孔１２１が開けられている。更に該天面パネル１０３の上端部には、糊代が設けられている。また、背面パネル１０５の上端部には水平板１３２が設けられ、更に水平板１３２の上端部には、糊代が設けられている。
【００４５】
前面パネル１０４の下端部には前部底面パネル１８１が設けられ、更に該前部底面パネル１８１の下端部には、糊代が設けられている。また、背面パネル１０５の下端部には後部底面パネル１８２が設けられ、更に該後部底面パネル１８２の下端部には、糊代が連設されている。
【００４６】
前記側面パネル１０６、１０７の上端部は後方より前方に向かい下降する傾斜線になっている。そして、前記側面パネル１０６、１０７の上端部には、前記傾斜線を1辺とする三角板１０９、１１０がそれぞれ設けられており、更に、三角板１０９の上方の２辺に連接して折込板１１１、１１２が設けられ、三角板１１０の上方の２辺に連接して折込板１１３、１１４が設けられている。そして、折込板１１１、１１２と折込板１１３、１１４の上端部には、糊代が連設されている。
【００４７】
また、前記側面パネル１０６、１０７のそれぞれの下端部には、該下端部を1辺とする三角板１１５、１１６が設けられており、更に、その三角板１１５の下方の２辺に連接して底面折込板１１７、１１８が設けられ、三角板１１６の下方の２辺に連接して底面折込板１１９、１２０が設けられている。そして、底面折込板１１７、１１８と、底面折込板１１９、１２０の下端部には、糊代が連設されている。
【００４８】
このブランクの、左端の糊代と、側面パネル１０６と、前面パネル１０４と、側面パネル１０７と、背面パネル１０５とのそれぞれの境の罫線を折り曲げ、糊代と背面パネル１０５を接着させ筒状とする。そして、前記側面パネル１０６と三角板１１５の間の罫線、および、前記側面パネル１０７と三角板１１６の間の罫線を山折、三角板１１５と底面折込板１１７、１１８の間の罫線、および、三角板１１６と底面折込板１１９、１２０の間の罫線を谷折し、前部底面パネル１８１と後部底面パネル１８２の先端部をそれぞれの糊代にて互いに接着され、糊代部を前または後方に折り、有底の容器を作成する。
【００４９】
この有底の容器の前記天面パネル１０３に口栓１０２を取り付け、内容物を充填し、前記側面パネル１０６と三角板１０９の間の罫線、および、前記側面パネル１０７と三角板１１０の間の罫線を山折し、三角板１０９と折込板１１１、１１２の間の罫線、および、三角板１１０と折込板１１３、１１４の間の罫線を谷折し、天面パネル１０３と水平板１３２の先端部分の糊代を合わせて接着し、接着した糊代部分を後方に折り、水平にする。
【００５０】
上記のように、口栓付液体用紙容器１００は製造されるが、天面パネル１０３と、前面パネル１０４の間には、折るための折罫は設けていない。ただし、折らないが印となる捨罫を設けても良い。
【００５１】
更に、図９のように、前記天面パネル１０３の下端部と、前記前面パネル１０４の上端部の境界線の左右両端に、外側へ凸の一対のＶ字型罫線またはハの字型罫線が互いに開放端を向かい合わせ、境界線にＶ字型罫線３３またはハの字型罫線Ｖ字の交点が来るように設けることができる。これにより、平面の前記前面パネル１０４と曲面の天面パネル１０３は、折罫を設けることなく、前記境界線でＲを取って緩やかに曲がることができる。
【符号の説明】
【００５２】
１・・・口栓付液体用紙容器
２・・・口栓
２１・・・口栓に連通させる孔
３・・・天面パネル
３１・・・前部天面パネル
３２・・・後部天面パネル
３３・・・Ｖ字型罫線
４・・・前面パネル
５・・・背面パネル
６、７・・・側面パネル
８・・・底面パネル
９、１０・・・三角板
１１、１２、１３、１４・・・折込板
１５、１６・・・三角板
１７，１８，１９，２０・・・底面折込板
１００・・・口栓付液体用紙容器
１０２・・・口栓
１２１・・・口栓に連通させる孔
１０３・・・天面パネル
１３２・・・水平板
１０４・・・前面パネル
１０５・・・背面パネル
１０６、１０７・・・側面パネル
１０８・・・底面パネル
１８１・・・前部底面パネル
１８２・・・後部底面パネル
１０９、１１０・・・三角板
１１１、１１２、１１３、１１４・・・折込板
１１５、１１６・・・三角板
１１７、１１８、１１９、１２０・・・底面折込板
【図１】
0005573181.tif 000002
【図２】
0005573181.tif 000003
【図３】
0005573181.tif 000004
【図４】
0005573181.tif 000005
【図５】
0005573181.tif 000006
【図６】
0005573181.tif 000007
【図７】
0005573181.tif 000008
【図８】
0005573181.tif 000009
【図９】
0005573181.tif 000010
【図１０】
0005573181.tif 000011
【図１１】
0005573181.tif 000012
【図１２】
0005573181.tif 000013
【図１３】
0005573181.tif 000014
【図１４】
0005573181.tif 000015
【図１５】
0005573181.tif 000016
【図１６】
0005573181.tif 000017
【図１７】
0005573181.tif 000018
【図１８】
0005573181.tif 000019
【図１９】
0005573181.tif 000020